(57)【要約】【課題】冷蔵庫本体内に設けた専用区画室底部に冷気風路を形成し、この冷気風路を介し冷気を専用区画室前部の吹き出し口より冷蔵庫内前面へ供給することにより、庫内温度分布改善を図るとともに冷却性能及び省エネの向上となり、専用区画室を設けた冷蔵庫を安価に提供すること。【解決手段】この発明に係る冷蔵庫は、冷気を強制的に冷蔵室等の各室に循環させる方式の冷蔵庫において、冷蔵室に下方に冷蔵室空間が存在するように設けられた専用区画室と、この専用区画室の底部に形成された冷気風路と、専用区画室の前部に設けられた冷気風路の冷気吹出し口と、専用区画室の後部に設けられた冷気風路の冷気取り入れ口と、を備え、冷気風路の冷気吹出し口から冷蔵室の前面に冷気を吹出し、下方の冷蔵室空間を冷却する構成としたことを特徴とする。【選択図】　　　　図１
2004053091.tif 000002
【特許請求の範囲】
【請求項１】
冷気を強制的に各室に循環させる方式の冷蔵庫において、各室の何れかに冷気風路を有する専用区画室を下方に空間が存在するように設け、前記冷気風路を用いて冷気を庫内の前面に吹き出し、前記専用区画室の下方の空間を冷却することを特徴とする冷蔵庫。
【請求項２】
冷気を強制的に冷蔵室等の各室に循環させる方式の冷蔵庫において、
前記冷蔵室に下方に冷蔵室空間が存在するように設けられた専用区画室と、
この専用区画室の底部に形成された冷気風路と、
前記専用区画室の前部に設けられた前記冷気風路の冷気吹出し口と、
前記専用区画室の後部に設けられた前記冷気風路の冷気取り入れ口と、
を備え、前記冷気風路の前記冷気吹出し口から前記冷蔵室の前面に冷気を吹出し、下方の前記冷蔵室空間を冷却する構成としたことを特徴とする冷蔵庫。
【請求項３】
上段が冷凍室、下段が冷蔵室に区画され、冷気を強制的に各室に循環させる方式の冷蔵庫において、
前記冷蔵室に下方に冷蔵室空間が存在するように設けられた専用区画室と、
この専用区画室の底部に形成された冷気風路と、
前記専用区画室の前部に設けられた前記冷気風路の冷気吹出し口と、
前記専用区画室の後部に設けられた前記冷気風路の冷気取り入れ口と、
を備え、前記冷気風路の前記冷気吹出し口から前記冷蔵室の前面に冷気を吹出し、下方の前記冷蔵室空間を冷却する構成としたことを特徴とする冷蔵庫。
【請求項４】
前記専用区画室を前記冷蔵室の上部に配置したことを特徴とする請求項１又は請求項２又は請求項３に記載の冷蔵庫。
【請求項５】
前記専用区画室底部の冷気風路を、前記専用区画室底部に設置した前記専用区画室と前記冷気風路とを仕切るトレイにて形成したことを特徴とする請求項１又は請求項２又は請求項３に記載の冷蔵庫。
【請求項６】
前記冷気風路の後部冷気取り入れを、前記専用区画室内へ供給する冷気とは別に専用の冷気取り入れ口より取り入れるようにしたことを特徴とする請求項１又は請求項２又は請求項３に記載の冷蔵庫。
【請求項７】
冷却器で生成された冷気を送風ファンでダクトを介して各室に供給循環させ、前記冷蔵室後方の前記ダクトに前記専用区画室の前記冷気風路の冷気取り入れ口へ冷気を供給する専用冷気供給口を設けたことを特徴とする請求項６に記載の冷蔵庫。
【請求項８】
冷却器で生成された冷気を送風ファンでダクトを介して各室に供給循環させ、前記冷蔵室後方の前記ダクトに前記専用区画室に冷気を供給する吹き出し口を設け、前記専用区画室の前記冷気風路の後部冷気取り入れを、前記専用区画室内へ供給する冷気の一部を取り入れるようにしたことを特徴とする請求項１又は請求項２又は請求項３に記載の冷蔵庫。
【請求項９】
前記専用区画室底部の冷気風路を、前記専用区画室底部に設置したトレイにて形成し、前記トレイに前記専用区画室内へ供給する冷気の一部を取り入れる区画壁を設けたことを特徴とする請求項８に記載の冷蔵庫。
【請求項１０】
前記専用区画室と前記冷気風路を仕切る部分に断熱材を設け、前記専用区画室を様々な温度帯として用いることを特徴とする請求項２又は請求項３に記載の冷蔵庫。
【請求項１１】
前記専用区画室底部の冷気風路を、前記専用区画室底部に設置したトレイにて形成し、前記トレイに断熱材を設けたことを特徴とする請求項１０に記載の冷蔵庫。
【請求項１２】
前記専用区画室をチルド温度帯とすることを特徴とする請求項１０又は請求項１１に記載の冷蔵庫。
【請求項１３】
前記専用区画室をパーシャル温度帯とすることを特徴とする請求項１０又は請求項１１に記載の冷蔵庫。
【請求項１４】
前記専用区画室をソフトフリージング温度帯とすることを特徴とする請求項１０又は請求項１１に記載の冷蔵庫。
【請求項１５】
前記専用区画室と前記冷気風路とを仕切る部分に穴を設け、前記専用区画室内へ供給された冷気の一部を前記冷気風路内へ流入するようにしたことを特徴とする請求項１又は請求項２又は請求項３に記載の冷蔵庫。
【請求項１６】
前記専用区画室底部の冷気風路を、前記専用区画室底部に設置した前記専用区画室と前記冷気風路とを仕切るトレイにて形成し、前記トレイに穴を設けたことを特徴とする請求項１５に記載の冷蔵庫。
【請求項１７】
冷蔵庫本体と、
この本体の上段に設けられた冷凍室と、
前記本体の下段に設けられた冷蔵室と、
前記冷凍室の背面に配置された冷却器と、
この冷却器で生成された冷気を各室にダクトを介して供給循環させる送風ファンと、
前記冷蔵室の上部に設けられ、底部に冷気風路を有する専用区画室と、
を備え、前記ダクトから前記専用区画室内へ供給する冷気とは別に、前記専用区画室底部の冷気風路の後部に冷気を供給し、前記専用区画室底部の冷気風路の前部から前記冷蔵室の前面に冷気を吹き出すことを特徴とする冷蔵庫。
【請求項１８】
冷蔵庫本体と、
この本体の上段に設けられた冷凍室と、
前記本体の下段に設けられた冷蔵室と、
前記冷凍室の背面に配置された冷却器と、
この冷却器で生成された冷気を各室にダクトを介して供給循環させる送風ファンと、
前記冷蔵室の上部に設けられ、底部に冷気風路を有する専用区画室と、
を備え、前記ダクトから前記専用区画室内へ供給する冷気の一部を前記専用区画室底部の冷気風路の後部に取り入れ、前記専用区画室底部の冷気風路の前部から前記冷蔵室の前面に冷気を吹き出すことを特徴とする冷蔵庫。
【請求項１９】
前記専用区画室は、引出し可能に設置されていることを特徴とする請求項１７又は請求項１８に記載の冷蔵庫。
【請求項２０】
前記専用区画室の前面開口部には開閉可能に蓋体が設置されていることを特徴とする請求項１７又は請求項１８に記載の冷蔵庫。
【請求項２１】
冷気を強制的に各室に循環させる方式であり、各室の何れかに冷気風路を有する専用区画室を設けた冷蔵庫の庫内冷却方法において、
前記専用区画室を設けた室は、背面のダクトから吹き出される後方からの冷気と、前記専用区画室の冷気風路により室の前面に吹き出される冷気とにより室の冷却を行うことを特徴とする冷蔵庫の庫内冷却方法。
【請求項２２】
冷気を強制的に冷蔵室等の各室に循環させる方式であり、前記冷蔵室に底部に冷気風路を有する専用区画室が下方に冷蔵室空間が存在するように設けられた冷蔵庫の庫内冷却方法において、
背面のダクトから前記冷蔵室空間に吹き出される後方からの冷気と、前記背面のダクトからの冷気を冷気取り入れ口から前記冷気風路に取り入れ、前記冷気風路の前記冷気吹出し口から前記冷蔵室の前面に吹き出された前面からの冷気とにより下方の前記冷蔵室空間を冷却することを特徴とする冷蔵庫の庫内冷却方法。
【請求項２３】
上段が冷凍室、下段が冷蔵室に区画され、冷気を強制的に各室に循環させる方式であり、前記冷蔵室に底部に冷気風路を有する専用区画室が下方に冷蔵室空間が存在するように設けられた冷蔵庫の庫内冷却方法において、
背面のダクトから前記冷蔵室空間に吹き出される後方からの冷気と、前記背面のダクトからの冷気を冷気取り入れ口から前記冷気風路に取り入れ、前記冷気風路の前記冷気吹出し口から前記冷蔵室の前面に吹き出された前面からの冷気とにより下方の前記冷蔵室空間を冷却することを特徴とする冷蔵庫の庫内冷却方法。
【請求項２４】
冷気を強制的に冷蔵室等の各室に循環させる方式であり、前記冷蔵室の上部に、底部に冷気風路を有する専用区画室が設けられた冷蔵庫の庫内冷却方法において、
背面のダクトから前記冷蔵室空間に吹き出される後方からの冷気と、前記背面のダクトからの冷気を冷気取り入れ口から前記冷気風路に取り入れ、前記冷気風路の前記冷気吹出し口から前記冷蔵室の前面に吹き出された前面からの冷気とにより前記冷蔵室空間を冷却することを特徴とする冷蔵庫の庫内冷却方法。
【請求項２５】
上段が冷凍室、下段が冷蔵室に区画され、冷気を強制的に各室に循環させる方式であり、前記冷蔵室の上部に、底部に冷気風路を有する専用区画室が設けられた冷蔵庫の庫内冷却方法において、
背面のダクトから前記冷蔵室空間に吹き出される後方からの冷気と、前記背面のダクトからの冷気を冷気取り入れ口から前記冷気風路に取り入れ、前記冷気風路の前記冷気吹出し口から前記冷蔵室の前面に吹き出された前面からの冷気とにより前記冷蔵室空間を冷却することを特徴とする冷蔵庫の庫内冷却方法。
【請求項２６】
前記冷気風路の後部冷気取り入れを、前記専用区画室内へ供給する冷気とは別に専用の冷気取り入れ口より取り入れるようにしたことを特徴とする請求項２１〜２５の何れかに記載の冷蔵庫の庫内冷却方法。
【請求項２７】
前記専用区画室の前記冷気風路の後部冷気取り入れを、前記専用区画室内へ供給する冷気の一部を取り入れるようにしたことを特徴とする請求項２１〜２５の何れかに記載の冷蔵庫の庫内冷却方法。
【請求項２８】
前記専用区画室と前記冷気風路とを仕切る部分に設けた穴から、前記専用区画室内へ供給された冷気の一部を前記冷気風路内へ流入するようにしたことを特徴とする請求項２１〜２５の何れかに記載の冷蔵庫の庫内冷却方法。
【請求項２９】
冷気を強制的に各室に循環させる方式の冷蔵庫に設けられ、冷気を庫内の前面に吹き出す冷気風路を有し、庫内温度分布を均一にすることを特徴とする専用区画室。
【請求項３０】
冷気を強制的に冷蔵室等の各室に循環させる方式の冷蔵庫に設けられ、
底部に形成された冷気風路と、
前部に設けられた前記冷気風路の冷気吹出し口と、
後部に設けられた前記冷気風路の冷気取り入れ口と、
を備えたことを特徴とする専用区画室。
【請求項３１】
前記冷気風路を、底部に設置した前記専用区画室と前記冷気風路とを仕切るトレイにて形成したことを特徴とする請求項２９又は請求項３０に記載の専用区画室。
【請求項３２】
前記専用区画室と前記冷気風路を仕切る部分に断熱材を設け、前記専用区画室を様々な温度帯として用いることを特徴とする請求項２９又は請求項３０に記載の専用区画室。
【請求項３３】
前記専用区画室と前記冷気風路とを仕切る部分に穴を設け、前記専用区画室内へ供給された冷気の一部を前記冷気風路内へ流入するようにしたことを特徴とする請求項２９又は請求項３０に記載の専用区画室。
【請求項３４】
前記専用区画室底部の冷気風路を、前記専用区画室底部に設置した前記専用区画室と前記冷気風路とを仕切るトレイにて形成し、前記トレイに穴を設けたことを特徴とする請求項３３に記載の専用区画室。
【発明の詳細な説明】
【０００１】
【発明の属する技術分野】
この発明は冷蔵庫に係わり、詳しくは庫内温度分布の改善を図る冷蔵庫内への冷気供給構造に関するものである。
【０００２】
【従来の技術】
図５、６は、例えば特開平１１−６３７８５号公報に示された従来の冷蔵庫を示す図で、図５は冷蔵庫の内部を示す側断面図、図６はチルド室を示す要部拡大図である。図において、１は冷蔵庫本体で、鋼板製の外箱２と、合成樹脂製の内箱３と、外箱２と内箱３の間に充填される断熱材４とから構成されている。５は冷蔵室７と冷凍室８とを区画する断熱仕切り体、６は冷凍室８と野菜室９とを区画する他の断熱仕切り体である。
【０００３】
１０は冷蔵室７に設けられたチルド室であり、チルド室１０は上面が棚板兼用のチルドカバー１０ａと、このチルドカバー１０ａの内側に、引出し可能に設けられたチルドケース１０ｂと、チルドカバー１０ａの前面開口部に開閉可能に取り付けられた蓋体１０ｃと、底面に蓄冷材１０ｅを保持し、チルドケース１０ｂとの間に冷気風路１０ｆを設けるよう形成されたアルミトレイ１０ｄから構成されている。また、チルドケース１０ｂの前方には極小さな冷気の吹き出し口１０ｇが設けられている。
【０００４】
１１はチルド室１０後方のダクトであり、１１ａはダクト１１に形成されたチルド室専用冷気供給口である。１２は冷凍室８の背面側に配置された冷気生成用の冷却器であり、１３は冷気を各室に供給循環させる送風ファンである。１４〜１６は扉で、１４は冷蔵室扉であり、一方を軸支持され開閉可能に取り付けられている。１５は冷凍室扉、１６は野菜室扉であり、いずれも引き出し式扉である。
【０００５】
次に作用について説明する。図６はチルド室１０の要部拡大図であり、図において、冷却器１２によって冷却された冷気が矢印で示すように、送風ファン１３によってダクト１１に形成された冷気供給口１１ａよりチルド室１０底部にアルミトレイ１０ｄによって形成された冷気風路１０ｆに供給され、アルミトレイ１０ｄの底面に保持された蓄冷材１０ｅを冷却することにより、チルド室１０の食品（図示せず）を間接冷却し、冷気風路１０ｆに供給された冷気は冷気の出口１０ｇよりチルドケース１０ｂと断熱仕切り体５間に設けた隙間を流通させ、図示されていないダクトを介して冷却器１２側に戻すようになっている。これにより、チルド室１０の温度変化をより小さくすることができ、収納された食品の品質低下を防止するものである。
【０００６】
但し、冷気風路１０ｆに供給された冷気は、蓄冷材１０ｅを冷却するだけで庫内の冷却には何ら寄与していない。従って、庫内温度分布の改善を図ることはできない。
【０００７】
また、冷蔵庫内の温度分布を改善するために庫内側面に冷気吹出口を設けた冷蔵庫の風路構造が、例えば特開平１１−２７０９５２号公報に開示されている。この冷蔵庫の風路構造は、内箱側面に冷気風路を断熱材内に埋設するよう、棚を載置する樹脂製のレールが取り付けられ、庫内背面に設けられたダクトから供給された冷気を冷気風路を介し庫内前面に吹き出すようになっている。
【０００８】
【発明が解決しようとする課題】
従来の冷蔵庫の風路構造は以上のように構成されているので、特開平１１−６３７８５号公報に示されたものは、チルド室内を冷却する為の冷風路構造であり、冷蔵庫の他の部分の冷却には寄与しないという問題点があった。
【０００９】
また、特開平１１−２７０９５２号公報に示されたものは、冷気風路を設けるために取り付けられる合成樹脂製のレールが必要でコストアップとなり、断熱材内に冷気風路を埋設するため断熱材が厚くなるという問題点があった。
【００１０】
この発明は上記のような問題点を解消する為になされたもので、冷蔵庫本体内に設けた専用区画室底部に冷気風路を形成し、この冷気風路を介し冷気を専用区画室前部の吹き出し口より冷蔵庫内前面へ供給することにより、庫内温度分布改善を図るとともに冷却性能及び省エネの向上となり、専用区画室を設けた冷蔵庫を安価に提供することを目的とする。
【００１１】
【課題を解決するための手段】
この発明に係る冷蔵庫は、冷気を強制的に各室に循環させる方式の冷蔵庫において、各室の何れかに冷気風路を有する専用区画室を下方に空間が存在するように設け、冷気風路を用いて冷気を庫内の前面に吹き出し、専用区画室の下方の空間を冷却することを特徴とする。
【００１２】
また、この発明に係る冷蔵庫は、冷気を強制的に冷蔵室等の各室に循環させる方式の冷蔵庫において、冷蔵室に下方に冷蔵室空間が存在するように設けられた専用区画室と、この専用区画室の底部に形成された冷気風路と、専用区画室の前部に設けられた冷気風路の冷気吹出し口と、専用区画室の後部に設けられた冷気風路の冷気取り入れ口と、を備え、冷気風路の冷気吹出し口から冷蔵室の前面に冷気を吹出し、下方の冷蔵室空間を冷却する構成としたことを特徴とする。
【００１３】
また、この発明に係る冷蔵庫は、上段が冷凍室、下段が冷蔵室に区画され、冷気を強制的に各室に循環させる方式の冷蔵庫において、冷蔵室に下方に冷蔵室空間が存在するように設けられた専用区画室と、この専用区画室の底部に形成された冷気風路と、専用区画室の前部に設けられた冷気風路の冷気吹出し口と、専用区画室の後部に設けられた冷気風路の冷気取り入れ口と、を備え、冷気風路の冷気吹出し口から冷蔵室の前面に冷気を吹出し、下方の冷蔵室空間を冷却する構成としたことを特徴とする。
【００１４】
また、この発明に係る冷蔵庫は、専用区画室を冷蔵室の上部に配置したことを特徴とする。
【００１５】
また、この発明に係る冷蔵庫は、専用区画室底部の冷気風路を、専用区画室底部に設置した専用区画室と冷気風路とを仕切るトレイにて形成したことを特徴とする。
【００１６】
また、この発明に係る冷蔵庫は、冷気風路の後部冷気取り入れを、専用区画室内へ供給する冷気とは別に専用の冷気取り入れ口より取り入れるようにしたことを特徴とする。
【００１７】
また、この発明に係る冷蔵庫は、冷却器で生成された冷気を送風ファンでダクトを介して各室に供給循環させ、冷蔵室後方のダクトに専用区画室の冷気風路の冷気取り入れ口へ冷気を供給する専用冷気供給口を設けたことを特徴とする。
【００１８】
また、この発明に係る冷蔵庫は、冷却器で生成された冷気を送風ファンでダクトを介して各室に供給循環させ、冷蔵室後方のダクトに専用区画室に冷気を供給する吹き出し口を設け、専用区画室の冷気風路の後部冷気取り入れを、専用区画室内へ供給する冷気の一部を取り入れるようにしたことを特徴とする。
【００１９】
また、この発明に係る冷蔵庫は、専用区画室底部の冷気風路を、専用区画室底部に設置したトレイにて形成し、トレイに専用区画室内へ供給する冷気の一部を取り入れる区画壁を設けたことを特徴とする。
【００２０】
また、この発明に係る冷蔵庫は、専用区画室と冷気風路を仕切る部分に断熱材を設け、専用区画室を様々な温度帯として用いることを特徴とする。
【００２１】
また、この発明に係る冷蔵庫は、専用区画室底部の冷気風路を、専用区画室底部に設置したトレイにて形成し、トレイに断熱材を設けたことを特徴とする。
【００２２】
また、この発明に係る冷蔵庫は、専用区画室をチルド温度帯とすることを特徴とする。
【００２３】
また、この発明に係る冷蔵庫は、専用区画室をパーシャル温度帯とすることを特徴とする。
【００２４】
また、この発明に係る冷蔵庫は、専用区画室をソフトフリージング温度帯とすることを特徴とする。
【００２５】
また、この発明に係る冷蔵庫は、専用区画室と冷気風路とを仕切る部分に穴を設け、専用区画室内へ供給された冷気の一部を冷気風路内へ流入するようにしたことを特徴とする。
【００２６】
また、この発明に係る冷蔵庫は、専用区画室底部の冷気風路を、専用区画室底部に設置した専用区画室と冷気風路とを仕切るトレイにて形成し、トレイに穴を設けたことを特徴とする。
【００２７】
また、この発明に係る冷蔵庫は、冷蔵庫本体と、この本体の上段に設けられた冷凍室と、本体の下段に設けられた冷蔵室と、冷凍室の背面に配置された冷却器と、この冷却器で生成された冷気を各室にダクトを介して供給循環させる送風ファンと、冷蔵室の上部に設けられ、底部に冷気風路を有する専用区画室と、を備え、ダクトから専用区画室内へ供給する冷気とは別に、専用区画室底部の冷気風路の後部に冷気を供給し、専用区画室底部の冷気風路の前部から冷蔵室の前面に冷気を吹き出すことを特徴とする。
【００２８】
また、この発明に係る冷蔵庫は、冷蔵庫本体と、この本体の上段に設けられた冷凍室と、本体の下段に設けられた冷蔵室と、冷凍室の背面に配置された冷却器と、この冷却器で生成された冷気を各室にダクトを介して供給循環させる送風ファンと、冷蔵室の上部に設けられ、底部に冷気風路を有する専用区画室と、を備え、ダクトから専用区画室内へ供給する冷気の一部を専用区画室底部の冷気風路の後部に取り入れ、専用区画室底部の冷気風路の前部から冷蔵室の前面に冷気を吹き出すことを特徴とする。
【００２９】
また、この発明に係る冷蔵庫は、専用区画室は、引出し可能に設置されていることを特徴とする。
【００３０】
また、この発明に係る冷蔵庫は、専用区画室の前面開口部には開閉可能に蓋体が設置されていることを特徴とする。
【００３１】
この発明に係る冷蔵庫の庫内冷却方法は、冷気を強制的に各室に循環させる方式であり、各室の何れかに冷気風路を有する専用区画室を設けた冷蔵庫の庫内冷却方法において、専用区画室を設けた室は、背面のダクトから吹き出される後方からの冷気と、専用区画室の冷気風路により室の前面に吹き出される冷気とにより室の冷却を行うことを特徴とする。
【００３２】
また、この発明に係る冷蔵庫の庫内冷却方法は、冷気を強制的に冷蔵室等の各室に循環させる方式であり、冷蔵室に底部に冷気風路を有する専用区画室が下方に冷蔵室空間が存在するように設けられた冷蔵庫の庫内冷却方法において、背面のダクトから冷蔵室空間に吹き出される後方からの冷気と、背面のダクトからの冷気を冷気取り入れ口から冷気風路に取り入れ、冷気風路の冷気吹出し口から冷蔵室の前面に吹き出された前面からの冷気とにより下方の冷蔵室空間を冷却することを特徴とする。
【００３３】
また、この発明に係る冷蔵庫の庫内冷却方法は、上段が冷凍室、下段が冷蔵室に区画され、冷気を強制的に各室に循環させる方式であり、冷蔵室に底部に冷気風路を有する専用区画室が下方に冷蔵室空間が存在するように設けられた冷蔵庫の庫内冷却方法において、背面のダクトから冷蔵室空間に吹き出される後方からの冷気と、背面のダクトからの冷気を冷気取り入れ口から冷気風路に取り入れ、冷気風路の冷気吹出し口から冷蔵室の前面に吹き出された前面からの冷気とにより下方の冷蔵室空間を冷却することを特徴とする。
【００３４】
また、この発明に係る冷蔵庫の庫内冷却方法は、冷気を強制的に冷蔵室等の各室に循環させる方式であり、冷蔵室の上部に、底部に冷気風路を有する専用区画室が設けられた冷蔵庫の庫内冷却方法において、背面のダクトから冷蔵室空間に吹き出される後方からの冷気と、背面のダクトからの冷気を冷気取り入れ口から冷気風路に取り入れ、冷気風路の冷気吹出し口から冷蔵室の前面に吹き出された前面からの冷気とにより冷蔵室空間を冷却することを特徴とする。
【００３５】
また、この発明に係る冷蔵庫の庫内冷却方法は、上段が冷凍室、下段が冷蔵室に区画され、冷気を強制的に各室に循環させる方式であり、冷蔵室の上部に、底部に冷気風路を有する専用区画室が設けられた冷蔵庫の庫内冷却方法において、背面のダクトから冷蔵室空間に吹き出される後方からの冷気と、背面のダクトからの冷気を冷気取り入れ口から冷気風路に取り入れ、冷気風路の冷気吹出し口から冷蔵室の前面に吹き出された前面からの冷気とにより冷蔵室空間を冷却することを特徴とする。
【００３６】
また、この発明に係る冷蔵庫の庫内冷却方法は、冷気風路の後部冷気取り入れを、専用区画室内へ供給する冷気とは別に専用の冷気取り入れ口より取り入れるようにしたことを特徴とする。
【００３７】
また、この発明に係る冷蔵庫の庫内冷却方法は、専用区画室の冷気風路の後部冷気取り入れを、専用区画室内へ供給する冷気の一部を取り入れるようにしたことを特徴とする。
【００３８】
また、この発明に係る冷蔵庫の庫内冷却方法は、専用区画室と冷気風路とを仕切る部分に設けた穴から、専用区画室内へ供給された冷気の一部を冷気風路内へ流入するようにしたことを特徴とする。
【００３９】
この発明に係る専用区画室は、冷気を強制的に各室に循環させる方式の冷蔵庫に設けられ、冷気を庫内の前面に吹き出す冷気風路を有し、庫内温度分布を均一にすることを特徴とする。
【００４０】
また、この発明に係る専用区画室は、冷気を強制的に冷蔵室等の各室に循環させる方式の冷蔵庫に設けられ、底部に形成された冷気風路と、前部に設けられた前記冷気風路の冷気吹出し口と、後部に設けられた前記冷気風路の冷気取り入れ口と、を備えたことを特徴とする。
【００４１】
また、この発明に係る専用区画室は、冷気風路を、底部に設置した専用区画室と冷気風路とを仕切るトレイにて形成したことを特徴とする。
【００４２】
また、この発明に係る専用区画室は、専用区画室と冷気風路を仕切る部分に断熱材を設け、専用区画室を様々な温度帯として用いることを特徴とする。
【００４３】
また、この発明に係る専用区画室は、専用区画室と冷気風路とを仕切る部分に穴を設け、専用区画室内へ供給された冷気の一部を冷気風路内へ流入するようにしたことを特徴とする。
【００４４】
また、この発明に係る専用区画室は、専用区画室底部の冷気風路を、専用区画室底部に設置した専用区画室と冷気風路とを仕切るトレイにて形成し、トレイに穴を設けたことを特徴とする。
【００４５】
【発明の実施の形態】
以下、この発明の実施の形態を図面を参照して説明する。
実施の形態１．
図１、２は実施の形態１を示す図で、図１は冷蔵庫の側断面図、図２は専用区画室付近の要部拡大図である。図１に示す冷蔵庫は、上段が冷凍室、下段が冷蔵室の形態のもので、冷気を強制的に各室に供給する方式のものである。
図において、１は冷気強制循環式の冷蔵庫本体で、鋼板製の外箱２と、合成樹脂製の内箱３と、外箱２と内箱３の間に充填される断熱材４とから構成されている。５は冷蔵室７と冷凍室８とを区画する断熱仕切り体、５ａは断熱仕切り体５内に設けられた冷気を冷蔵室７へ送出する為の風路である。
【００４６】
１７は冷蔵室７の上部に設けられた専用区画室であり、引出し可能に設置されている。専用区画室１７の前面開口部には開閉可能に蓋体１０ｃが設置されており、専用区画室１７の底部には冷気風路１０ｆを設けるように形成されたトレイ１８が設置されている。また専用区画室１７の前部には冷気風路１０ｆの冷気吹き出し口１７ａ、後部には冷気風路１０ｆの冷気取り入れ口１７ｂが設けられている。
【００４７】
１１は専用区画室１７後方の冷気を流すダクト、１１ａはダクト１１に形成され風路５ａからの冷気を専用区画室１７へ供給する吹き出し口、１１ｂは風路５ａからの冷気を専用区画室１７後部に設けられた冷気取り入れ口１７ｂへ供給する専用冷気供給口である。
【００４８】
１２は冷凍室８の背面側に配置された冷気生成用の冷却器であり、１３は冷気を各室に供給循環させる送風ファンである。１４、１５は扉で、１４は冷蔵室扉、１５は冷凍室扉あり、いずれも一方を軸支持され開閉可能に取り付けられている。
【００４９】
次に動作を説明する。冷却器１２により冷却された冷気が矢印で示すように、送風ファン１３によって各室へ送風・循環され、断熱仕切り体５内に設けられた風路５ａを介し、専用区画室１７後方に設けられたダクト１１へ循環し、専用冷気供給口１１ｂより専用区画室１７後部に設けられた冷気取り入れ口１７ｂを介し専用区画室１７の底部に設置されたトレイ１８により形成された冷気風路１０ｆへ供給され、専用区画室１７前部に設けられた冷気吹き出し口１７ａより冷蔵室７前面へ供給され、冷蔵室７へ供給された冷気は断熱仕切り体５内に設けられた戻り風路（図示しない）を介して冷却器１２側に戻るようになっている。
【００５０】
冷蔵庫の形態としては、図１に示すような冷蔵庫、即ち、上段に冷凍室、下段に冷蔵室が形成されたもので説明したが、この形態の冷蔵庫に限定されない。上から冷蔵室、冷凍室、野菜室の順に配置された冷蔵庫等、どのような形態のものでもよい。
【００５１】
専用区画室１７は、通常冷蔵室７に設置される。そして、冷蔵室７の上部に配置されるのが好ましい。冷気は上から下へ流れる性質があり、冷蔵室７の上部に専用区画室１７を配置すれば、冷気風路１０ｆからの冷気が冷蔵室７の前面へ吹出し、下方の空間に流れるので冷蔵室７内の温度分布を改善することができる。
専用区画室１７は、通常冷蔵室７に設置されるが、他の室でもよい。
【００５２】
専用区画室１７は冷蔵室７の何処にあってもよいが、専用区画室１７の下に空間が存在することが最低条件である。専用区画室１７の下の空間における冷蔵室７内の温度分布が改善される。
【００５３】
冷気風路１０ｆは、専用区画室１７の底部に設置したトレイ１８にて形成される例を示したが、それに限定されない。他の方法により専用区画室１７の底部に冷気風路１０ｆを形成してもよい。
【００５４】
また、冷気風路１０ｆは、専用区画室１７の底部に設けたものを示したが、底部に限定されない。
【００５５】
上述の実施の形態によれば、専用区画室１７の底部に冷気風路１０ｆを形成し、専用区画室１７の前部に冷気吹き出し口、後部に冷気取り入れ口を設けたことから、庫内前部から冷気を供給することが出来、庫内温度分布改善を図るとともに冷却性能及び省エネの向上となり、また庫内側面に冷気風路を設ける様に内箱に取り付ける樹脂製のレールが不要となり、断熱を薄く出来、部品点数が減ることにより安価に提供出来る効果を有する。
【００５６】
また、専用区画室１７の底部の冷気風路を専用区画室１７の底部に設置したトレイ１８にて形成させたことから、専用区画室１７後部にもうけた冷気取り入れ口１７ｂから取り入れた冷気を専用区画室１７前部に設けた冷気吹き出し口１７ａへ導くことが出来、庫内温度分布改善を図るとともに風路抵抗が少なく、冷却性能及び省エネの向上となる効果を有する。
【００５７】
実施の形態２．
図３は実施の形態２を示す図で、専用区画室付近の要部拡大図である。上記実施の形態１では、専用区画室１７後方のダクト１１に専用冷気供給口１１ｂを設け、専用区画室１７後部に設けた冷気取り入れ口１７ｂへ冷気を供給しているが、図３に示すように、トレイ１８に区画壁１８ａを設け、専用区画室１７への冷気供給口１１ａから供給される冷気の一部を取り入れるようにしてもよい。
【００５８】
上述の実施の形態によれば、冷気風路１０ｆの後部冷気取り入れを専用区画室１７内へ吹き出す冷気の一部を取り入れるようにしたことから、専用区画室１７後部に設けられた冷気取り入れ口１７ｂ及び、専用区画室１７後方に設けられたダクト１１に形成された専用冷気供給口１１ｂが不要となり型費削減となり安価に提供出来る効果を有する。
【００５９】
実施の形態３．
上記実施の形態では、専用区画室１７底部の冷気風路１０ｆを専用区画室１７底部に設置したトレイ１８にて形成しているが、このトレイ１８に断熱部材（図示せず）を設けることにより、専用区画室１７内の温度帯を冷蔵（３℃）、チルド（０℃）、パーシャル（−３℃）、ソフトフリージング（−７℃）等様々な温度帯としても、専用区画室１７内の温度の影響を受けず庫内へ冷気を供給出来る。
【００６０】
実施の形態４．
図４は実施の形態４を示す図で、専用区画室付近の要部拡大図である。上記実施の形態では、専用区画室１７底部に設置したトレイ１８は、専用区画室１７内と冷気風路１０ｆとを区画しているが、図４に示すように、トレイ１８の一部に穴１８ｂを設け、専用区画室１７内の冷気の一部を冷気風路１０ｆに流入するようにしてもよい。
【００６１】
上述の実施の形態によれば、専用区画室１７と冷気風路１０ｆとを仕切るトレイ１８の一部に穴１８ｂを設け専用区画室１７内の冷気の一部を冷気風路１０ｆ内へ流入するようにしたことから、より多くの冷気を冷気風路１０ｆに供給出来、庫内温度分布改善を図るとともに冷却性能及び省エネの向上となる。
【００６２】
【発明の効果】
この発明の請求項１に係る冷蔵庫は、冷気を強制的に各室に循環させる方式の冷蔵庫において、各室の何れかに冷気風路を有する専用区画室を下方に空間が存在するように設け、冷気風路を用いて冷気を庫内の前面に吹き出し、専用区画室の下方の空間を冷却することにより、庫内温度分布を均一にできると共に、冷却性能及び省エネの向上となる。
【００６３】
また、この発明の請求項２に係る冷蔵庫は、冷蔵室に下方に冷蔵室空間が存在するように設けられた専用区画室と、この専用区画室の底部に形成された冷気風路と、専用区画室の前部に設けられた冷気風路の冷気吹出し口と、専用区画室の後部に設けられた冷気風路の冷気取り入れ口と、を備え、冷気風路の冷気吹出し口から冷蔵室の前面に冷気を吹出し、下方の冷蔵室空間を冷却する構成としたことにより、専用区画室下方の冷蔵室空間を前後から冷却して庫内温度分布を均一にすると共に、冷却性能及び省エネの向上となる。
【００６４】
また、この発明の請求項３に係る冷蔵庫は、上段が冷凍室、下段が冷蔵室に区画され、冷気を強制的に各室に循環させる方式の冷蔵庫において、冷蔵室に下方に冷蔵室空間が存在するように設けられた専用区画室と、この専用区画室の底部に形成された冷気風路と、専用区画室の前部に設けられた冷気風路の冷気吹出し口と、専用区画室の後部に設けられた冷気風路の冷気取り入れ口と、を備え、冷気風路の冷気吹出し口から冷蔵室の前面に冷気を吹出し、下方の冷蔵室空間を冷却する構成としたことにより、専用区画室下方の冷蔵室空間を前後から冷却して庫内温度分布を均一にすると共に、冷却性能及び省エネの向上となる。
【００６５】
また、この発明の請求項４に係る冷蔵庫は、専用区画室を冷蔵室の上部に配置したことにより、冷蔵室全体の庫内温度分布を均一にすることができる。
【００６６】
また、この発明の請求項５に係る冷蔵庫は、専用区画室底部の冷気風路を、専用区画室底部に設置した専用区画室と冷気風路とを仕切るトレイにて形成したことにより、専用区画室後部から取り入れた冷気を専用区画室前部へ導くことが出来、庫内温度分布改善を図るとともに風路抵抗が少なく、冷却性能及び省エネの向上となる。
【００６７】
また、この発明の請求項６に係る冷蔵庫は、冷気風路の後部冷気取り入れを、専用区画室内へ供給する冷気とは別に専用の冷気取り入れ口より取り入れるようにしたことにより、専用区画室後部に設けた冷気取り入れ口から取り入れた冷気を、専用区画室前部に設けた冷気吹き出し口へ導くことが出来、庫内温度分布改善を図るとともに風路抵抗が少なく、冷却性能及び省エネの向上となる。
【００６８】
また、この発明の請求項７に係る冷蔵庫は、冷却器で生成された冷気を送風ファンでダクトを介して各室に供給循環させ、冷蔵室後方のダクトに専用区画室の冷気風路の冷気取り入れ口へ冷気を供給する専用冷気供給口を設けたことにより、専用区画室内の温度の影響を受けず冷気を供給出来る効果を有する。
【００６９】
また、この発明の請求項８に係る冷蔵庫は、冷却器で生成された冷気を送風ファンでダクトを介して各室に供給循環させ、冷蔵室後方のダクトに専用区画室に冷気を供給する吹き出し口を設け、専用区画室の冷気風路の後部冷気取り入れを、専用区画室内へ供給する冷気の一部を取り入れるようにしたことにより、専用区画室後部に設けられた冷気取り入れ口及び、専用区画室後方に設けられたダクトに形成された専用冷気供給口が不要となり型費削減となり安価に出来る効果を有する。
【００７０】
また、この発明の請求項９に係る冷蔵庫は、専用区画室底部の冷気風路を、専用区画室底部に設置したトレイにて形成し、トレイに専用区画室内へ供給する冷気の一部を取り入れる区画壁を設けたことにより、型費削減となり安価に出来る効果を有する。
【００７１】
また、この発明の請求項１０に係る冷蔵庫は、専用区画室と冷気風路を仕切る部分に断熱材を設け、専用区画室を様々な温度帯として用いても、専用区画室内の温度の影響を受けず冷気を供給出来る効果を有する。
【００７２】
また、この発明の請求項１１に係る冷蔵庫は、専用区画室底部の冷気風路を、専用区画室底部に設置したトレイにて形成し、トレイに断熱材を設けたことにより、専用区画室内の温度の影響を受けず冷気を供給出来る効果を有する。
【００７３】
また、この発明の請求項１２に係る冷蔵庫は、専用区画室をチルド温度帯としても、専用区画室内の温度の影響を受けず冷気を供給出来る効果を有する。
【００７４】
また、この発明の請求項１３に係る冷蔵庫は、専用区画室をパーシャル温度帯としても、専用区画室内の温度の影響を受けず冷気を供給出来る効果を有する。
【００７５】
また、この発明の請求項１４に係る冷蔵庫は、専用区画室をソフトフリージング温度帯としても、専用区画室内の温度の影響を受けず冷気を供給出来る効果を有する。
【００７６】
また、この発明の請求項１５に係る冷蔵庫は、専用区画室と冷気風路とを仕切る部分に穴を設け、専用区画室内へ供給された冷気の一部を冷気風路内へ流入するようにしたことにより、より多くの冷気を冷気風路に供給出来、庫内温度分布改善を図るとともに冷却性能及び省エネの向上となる。
【００７７】
また、この発明の請求項１６に係る冷蔵庫は、専用区画室底部の冷気風路を、専用区画室底部に設置した専用区画室と冷気風路とを仕切るトレイにて形成し、トレイに穴を設けたことにより、より多くの冷気を冷気風路に供給出来、庫内温度分布改善を図るとともに冷却性能及び省エネの向上となる。
【００７８】
また、この発明の請求項１７に係る冷蔵庫は、冷蔵庫本体と、この本体の上段に設けられた冷凍室と、本体の下段に設けられた冷蔵室と、冷凍室の背面に配置された冷却器と、この冷却器で生成された冷気を各室にダクトを介して供給循環させる送風ファンと、冷蔵室の上部に設けられ、底部に冷気風路を有する専用区画室と、を備え、ダクトから専用区画室内へ供給する冷気とは別に、専用区画室底部の冷気風路の後部に冷気を供給し、専用区画室底部の冷気風路の前部から冷蔵室の前面に冷気を吹き出すことにより、冷蔵室空間を前後から冷却して庫内温度分布を均一にすると共に、冷却性能及び省エネの向上となる。
【００７９】
また、この発明の請求項１８に係る冷蔵庫は、冷蔵庫本体と、この本体の上段に設けられた冷凍室と、本体の下段に設けられた冷蔵室と、冷凍室の背面に配置された冷却器と、この冷却器で生成された冷気を各室にダクトを介して供給循環させる送風ファンと、冷蔵室の上部に設けられ、底部に冷気風路を有する専用区画室と、を備え、ダクトから専用区画室内へ供給する冷気の一部を専用区画室底部の冷気風路の後部に取り入れ、専用区画室底部の冷気風路の前部から冷蔵室の前面に冷気を吹き出すことにより、冷蔵室空間を前後から冷却して庫内温度分布を均一にすると共に、冷却性能及び省エネの向上となる。
【００８０】
また、この発明の請求項１９に係る冷蔵庫は、専用区画室が引出し可能に設置されていることにより、食品の貯蔵が容易にできる。
【００８１】
また、この発明の請求項２０に係る冷蔵庫は、専用区画室の前面開口部には開閉可能に蓋体が設置されていることにより、専用区画室を様々な温度帯にすることができる。
【００８２】
この発明の請求項２１に係る冷蔵庫の庫内冷却方法は、専用区画室を設けた室を、背面のダクトから吹き出される後方からの冷気と、専用区画室の冷気風路により室の前面に吹き出される冷気とにより室の冷却を行うことにより、庫内温度分布を均一にできると共に、冷却性能及び省エネの向上となる。
【００８３】
また、この発明の請求項２２に係る冷蔵庫の庫内冷却方法は、冷気を強制的に冷蔵室等の各室に循環させる方式であり、冷蔵室に底部に冷気風路を有する専用区画室が下方に冷蔵室空間が存在するように設けられた冷蔵庫の庫内冷却方法において、背面のダクトから冷蔵室空間に吹き出される後方からの冷気と、背面のダクトからの冷気を冷気取り入れ口から冷気風路に取り入れ、冷気風路の冷気吹出し口から冷蔵室の前面に吹き出された前面からの冷気とにより下方の冷蔵室空間を冷却することにより、専用区画室下方の冷蔵室空間を前後から冷却して庫内温度分布を均一にすると共に、冷却性能及び省エネの向上となる。
【００８４】
また、この発明の請求項２３に係る冷蔵庫の庫内冷却方法は、上段が冷凍室、下段が冷蔵室に区画され、冷気を強制的に各室に循環させる方式であり、冷蔵室に底部に冷気風路を有する専用区画室が下方に冷蔵室空間が存在するように設けられた冷蔵庫の庫内冷却方法において、背面のダクトから冷蔵室空間に吹き出される後方からの冷気と、背面のダクトからの冷気を冷気取り入れ口から冷気風路に取り入れ、冷気風路の冷気吹出し口から冷蔵室の前面に吹き出された前面からの冷気とにより下方の冷蔵室空間を冷却することにより、専用区画室下方の冷蔵室空間を前後から冷却して庫内温度分布を均一にすると共に、冷却性能及び省エネの向上となる。
【００８５】
また、この発明の請求項２４に係る冷蔵庫の庫内冷却方法は、冷気を強制的に冷蔵室等の各室に循環させる方式であり、冷蔵室の上部に、底部に冷気風路を有する専用区画室が設けられた冷蔵庫の庫内冷却方法において、背面のダクトから冷蔵室空間に吹き出される後方からの冷気と、背面のダクトからの冷気を冷気取り入れ口から冷気風路に取り入れ、冷気風路の冷気吹出し口から冷蔵室の前面に吹き出された前面からの冷気とにより冷蔵室空間を冷却することにより、冷蔵室全体の庫内温度分布を均一にすることができる。
【００８６】
また、この発明の請求項２５に係る冷蔵庫の庫内冷却方法は、上段が冷凍室、下段が冷蔵室に区画され、冷気を強制的に各室に循環させる方式であり、冷蔵室の上部に、底部に冷気風路を有する専用区画室が設けられた冷蔵庫の庫内冷却方法において、背面のダクトから冷蔵室空間に吹き出される後方からの冷気と、背面のダクトからの冷気を冷気取り入れ口から冷気風路に取り入れ、冷気風路の冷気吹出し口から冷蔵室の前面に吹き出された前面からの冷気とにより冷蔵室空間を冷却することにより、冷蔵室全体の庫内温度分布を均一にすることができる。
【００８７】
また、この発明の請求項２６に係る冷蔵庫の庫内冷却方法は、冷気風路の後部冷気取り入れを、専用区画室内へ供給する冷気とは別に専用の冷気取り入れ口より取り入れるようにしたことにより、専用区画室内の温度の影響を受けず冷気を供給出来る効果を有する。
【００８８】
また、この発明の請求項２７に係る冷蔵庫の庫内冷却方法は、専用区画室の冷気風路の後部冷気取り入れを、専用区画室内へ供給する冷気の一部を取り入れるようにしたことにより、型費削減となり安価に出来る効果を有する。
【００８９】
また、この発明の請求項２８に係る冷蔵庫の庫内冷却方法は、専用区画室と冷気風路とを仕切る部分に設けた穴から、専用区画室内へ供給された冷気の一部を冷気風路内へ流入するようにしたことにより、より多くの冷気を冷気風路に供給出来、庫内温度分布改善を図るとともに冷却性能及び省エネの向上となる。
【００９０】
この発明の請求項２９に係る専用区画室は、冷気を強制的に各室に循環させる方式の冷蔵庫に設けられ、冷気を庫内の前面に吹き出す冷気風路を有し、庫内温度分布を均一にできると共に、冷却性能及び省エネの向上となる。
【００９１】
また、この発明の請求項３０に係る専用区画室は、冷気を強制的に冷蔵室等の各室に循環させる方式の冷蔵庫に設けられ、底部に形成された冷気風路と、前部に設けられた前記冷気風路の冷気吹出し口と、後部に設けられた前記冷気風路の冷気取り入れ口と、を備えたことにより、専用区画室下方の空間を前後から冷却して庫内温度分布を均一にすると共に、冷却性能及び省エネの向上となる。
【００９２】
また、この発明の請求項３１に係る専用区画室は、冷気風路を底部に設置した専用区画室と冷気風路とを仕切るトレイにて形成したことにより、専用区画室後部から取り入れた冷気を専用区画室前部へ導くことが出来、庫内温度分布改善を図るとともに風路抵抗が少なく、冷却性能及び省エネの向上となる。
【００９３】
また、この発明の請求項３２に係る専用区画室は、専用区画室と冷気風路を仕切る部分に断熱材を設け、専用区画室を様々な温度帯として用いても、専用区画室内の温度の影響を受けず冷気風路から冷気を供給出来る効果を有する。
【００９４】
また、この発明の請求項３３に係る専用区画室は、専用区画室と冷気風路とを仕切る部分に穴を設け、専用区画室内へ供給された冷気の一部を冷気風路内へ流入するようにしたことにより、より多くの冷気を冷気風路に供給出来、庫内温度分布改善を図るとともに冷却性能及び省エネの向上となる。
【００９５】
また、この発明の請求項３４に係る専用区画室は、専用区画室底部の冷気風路を、専用区画室底部に設置した専用区画室と冷気風路とを仕切るトレイにて形成し、トレイに穴を設けたことにより、より多くの冷気を冷気風路に供給出来、庫内温度分布改善を図るとともに冷却性能及び省エネの向上となる。
【図面の簡単な説明】
【図１】実施の形態１を示す図で、冷蔵庫の側断面図である。
【図２】実施の形態１を示す図で、専用区画室付近の要部拡大図である。
【図３】実施の形態２を示す図で、専用区画室付近の要部拡大図である。
【図４】実施の形態４を示す図で、専用区画室付近の要部拡大図である。
【図５】従来の冷蔵庫を示す側断面図である。
【図６】従来の冷蔵庫の要部拡大図である。
【符号の説明】
１　冷蔵庫本体、２　外箱、３　内箱、４　断熱材、５　断熱仕切り体、５ａ風路、７　冷蔵室、８　冷凍室、１０ｃ　蓋体、１０ｆ　冷気風路、１１　ダクト、　１１ａ　冷気供給口、１１ｂ　専用冷気供給口、１２　冷却器、１３　送風ファン、１４　冷蔵室扉、１５　冷凍室扉、１７　専用区画室、１７ａ　冷気吹き出し口、１７ｂ　冷気取り入れ口、１８　トレイ、１８ａ　区画壁、１８ｂ　穴。
【図１】
2004053091.tif 000003
【図２】
2004053091.tif 000004
【図３】
2004053091.tif 000005
【図４】
2004053091.tif 000006
【図５】
2004053091.tif 000007
【図６】
2004053091.tif 000008